(57)【要約】【課題】嵌め込み型によるキャビティー表面の段差や嵌め込み型の反りかえりを低減させることが可能な嵌め込み型の固定構造を提供すること。【解決手段】キャビティー面１０ａを形成する嵌め込み型１１を金型１０に固定するための嵌め込み型１１の固定構造であって、金型１０の嵌め込み型１１用収納部１２の内壁又は嵌め込み型１１の外壁のいずれか一方にアリ溝１２ａ、１２ｂを形成し、いずれか他方にアリ溝１２ａ、１２ｂに嵌合するアリ溝用凸部１３ａ、１３ｂを設けて、アリ溝１２ａ、１２ｂとアリ溝用凸部１３ａ、１３ｂとを嵌合させることによって嵌め込み型１１を金型１０の収納部１２に固定させる。【選択図】  図２
2004306114.tif 000002
【特許請求の範囲】
【請求項１】
キャビティー面を形成する嵌め込み型を金型に固定するための嵌め込み型の固定構造であって、
前記金型の嵌め込み型用収納部の内壁又は前記嵌め込み型の外壁のいずれか一方にアリ溝を形成し、いずれか他方に前記アリ溝に嵌合するアリ溝用凸部を設けて、前記アリ溝と前記アリ溝用凸部とを嵌合させることによって前記嵌め込み型を前記金型の前記収納部に固定させることを特徴とする嵌め込み型の固定構造。
【請求項２】
前記アリ溝を、前記金型の型開き方向に対して直行する方向に延設したことを特徴とする請求項１に記載の嵌め込み型の固定構造。
【請求項３】
前記アリ溝を、前記嵌め込み型のキャビティー面と平行になるようにして設けることを特徴とする請求項１又は請求項２に記載の嵌め込み型の固定構造。
【発明の詳細な説明】
【０００１】
【発明の属する技術分野】
本発明は、金型に嵌め込まれてキャビティー面を形成する嵌め込み型の固定構造に関する。
【０００２】
【従来の技術】
一般的な金型鋳造方法では、固定金型と可動金型とのパーティングライン面に形成されたキャビティーに対して、溶融金属を流し込んで冷却固化させることによりキャビティー形状の成型品を成形している。
【０００３】
このような金型鋳造方法を用いて成型品を成形する際に、部分的に溶融金属の冷却速度を早めたい場合等がある。このような場合には、冷却を早めたい箇所にキャビティー面を形成する嵌め込み型（例えば、入れ子、中子）を入れ込んで、他の部分よりも冷却性能を向上させる手法が用いられている。
【０００４】
また、金型の長期使用により、キャビティー面の一部に亀裂が生じたり、破損したりする場合がある。このような場合には、亀裂等が生じた箇所を修復するために、修復箇所に嵌め込み型を入れ込んでキャビティー面等の修復を行うことがある。
【０００５】
一般的に嵌め込み型を金型に固定する場合、図９に示すように、金型１の裏面又は側面よりボルト２を埋め込んで嵌め込み型３を金型１に固定する方法が用いられている。（特許文献１）
【０００６】
【特許文献１】
特開昭５６−６２６４７号公報  第１図〜第３図
【０００７】
【発明が解決しようとする課題】
しかしながら、ボルト２により嵌め込み型が固定された金型を用いて金型鋳造処理が行われると、ボルト２が金型１よりも膨張又は収縮してしまう場合がある。ボルト２が金型１よりも膨張又は収縮すると、嵌め込み型３のキャビティー面３ａが金型１のキャビティー面１ａよりも突出したりへこんだりして段差が発生する場合があり、成型品において所望の表面形状を確保できない場合がある。
【０００８】
さらに、ボルト２による嵌め込み型３の固定では、嵌め込み型３を設置する位置によってボルト２を挿通させることが可能な位置及び方向が限定されてしまう。このため、嵌め込み型３を複数本のボルト２で均等に支持することができず、金型１の型開きの際に嵌め込み型３が部分的に反りかえってしまう場合もある。
【０００９】
本発明は、上記の課題に鑑みて為されたものであり、嵌め込み型によるキャビティー表面の段差や嵌め込み型の反りかえりを低減させることが可能な嵌め込み型の固定構造を提供することを課題とする。
【００１０】
【課題を解決するための手段】
上記課題を解決するために、請求項１に係る発明は、キャビティー面を形成する嵌め込み型を金型に固定するための嵌め込み型の固定構造であって、前記金型の嵌め込み型用収納部の内壁又は前記嵌め込み型の外壁のいずれか一方にアリ溝を形成し、いずれか他方に前記アリ溝に嵌合するアリ溝用凸部を設けて、前記アリ溝と前記アリ溝用凸部とを嵌合させることによって前記嵌め込み型を前記金型の前記収納部に固定させる嵌め込み型の固定構造であることを特徴とする。
【００１１】
請求項２に係る発明は、請求項１に記載の嵌め込み型の固定構造において、前記アリ溝を、前記金型の型開き方向に対して直行する方向に延設したことを特徴とする。
【００１２】
請求項３に係る発明は、請求項１又は請求項２に記載の嵌め込み型の固定構造、
前記アリ溝を、前記嵌め込み型のキャビティー面と平行になるようにして設けることを特徴とする。
【００１３】
【発明の実施の形態】
以下、本発明に係る嵌め込み型の固定構造を、図面を用いて説明する。図１は、金型１０及び金型１０に嵌合された嵌め込み型１１を示した斜視図である。
【００１４】
図１に示した金型１０は固定金型であり、固定金型には、図２に示すように嵌め込み型が嵌め込まれる収納部１２が形成されている。収納部１２は、金型１０のキャビティー面１０ａとパーティングライン面１０ｂとに開口が形成された直方体形状の凹所である。この凹所には、キャビティー面１０ａに平行に一対のアリ溝１２ａ、１２ｂが形成されている。
【００１５】
嵌め込み型１１は、図３に示すように、収納部１２の内部形状に対応した立方体形状を呈しており、下部側面にはアリ溝１２ａ、１２ｂに嵌入される一対のアリ溝用凸部１３ａ、１３ｂが形成されている。嵌め込み型１１のアリ溝用凸部１２ａ、１２ｂが収納部のアリ溝１２ａ、１２ｂに嵌入されて嵌め込み型１１が収納部１２に収納されると、図１に示すように、嵌め込み型１１のキャビティー面１１ａ及びパーティングライン面１１ｂが、金型１０のキャビティー面１０ａ及びパーティングライン面１０ｂと面一になる。
【００１６】
このように、収納部１２にアリ溝１２ａ、１２ｂを形成し、嵌め込み型１１に形成されたアリ溝用凸部１３ａ、１３ｂをアリ溝１２ａ、１２ｂに嵌入させて嵌め込み型１１を収納部１２に収納することによって、ボルトの伸縮により嵌め込み型１１のキャビティー面１１ａと金型１０のキャビティー面１０ａとに段差が発生することを防止することが可能となる。
【００１７】
また、図４に示すようにアリ溝１２ａ、１２ｂの延設方向に対して垂直にボルト１４を設置することによって、ボルト１４の伸縮により嵌め込み型１１のキャビティー面１１ａと金型１０のキャビティー面１０ａとに段差が発生することをアリ溝１２ａ、１２ｂとアリ溝用凸部１３ａ、１３ｂとの嵌合により防止することができるとともに、嵌め込み型１１がパーティングライン面１０ｂ側にずれることを防止することが可能となる。
【００１８】
図５は、キャビティー面１５ａ、１５ｂに面した２つの開口を備えた収納部１５に対してパーティングライン面１５ｃに平行にアリ溝１６ａ、１６ｂを形成し、このアリ溝１６ａ、１６ｂに嵌め込み型１７のアリ溝用凸部１７ａ、１７ｂを嵌合させることによって嵌め込み型１７を収納部１６に固定する嵌め込み型１７の固定構造を示したものである。
【００１９】
金型の型開きが行われる際に、キャビティーで硬化された成形品が可動金型に付着した状態で固定金型１８から離れる場合には、嵌め込み型１７の型開き方向に垂直なキャビティー面１５ｂ、図５においてはパーティングライン面１５ｃに平行なキャビティー面１５ｂが、成形品が型開き方向に移動するのに伴って引っ張られる。図５に示す嵌め込み型１７の固定構造では、パーティングライン面１５ｃに平行にアリ溝１６ａ、１６ｂを設けて、嵌め込み型１７のアリ溝用凸部１７ａ、１７ｂと収納部１６のアリ溝１６ａ、１６ｂとを金型１８の型開き方向に対して垂直な方向で嵌合させているので、アリ溝１６ａ、１６ｂ及びアリ溝用凸部１７ａ、１７ｂにより嵌め込み型１７全体が金型１８に固定される。このため、型開きの際に嵌め込み型１７のキャビティー面１７ｃが引っ張られても、嵌め込み型１７が歪んだり反りかえったりすることを防止することができる。
【００２０】
以上、本発明に係る嵌め込み型の固定構造を、図面を用いて説明したが、本発明に係る嵌め込み型の固定構造は上述した構造に限定されるものではない。実施例において、収納部１２、１６にアリ溝１２ａ、１２ｂ、１６ａ、１６ｂを設け、嵌め込み型１１、１７にアリ溝用凸部１３ａ、１３ｂ、１７ａ、１７ｂを設ける固定構造を説明したが、図６に示すように、嵌め込み型１１Ａにアリ溝１１Ａａ、１１Ａｂを設けて収納部１２Ａにアリ溝用凸部１２Ａａ、１２Ａｂを設ける固定構造としてもよい。また、実施例では、一対のアリ溝を１箇所設けた例を示したが、図７に示すように対をなすアリ溝１２Ｂａ、１２Ｂｂ、１２Ｂｃ、１２Ｂｄを複数組設けてもよく、図８に示すように、アリ溝１２Ｃａ、１２Ｃｂ、１２Ｃｃ及びアリ溝用凸部１３Ｃａ、１３Ｃｂ、１３Ｃｃを個別に複数設ける構成にしてもよい。
【００２１】
【発明の効果】
以上説明したように、本発明に係る嵌め込み型の固定構造を用いることによって、ボルトの伸縮により嵌め込み型のキャビティー面と金型のキャビティー面とに段差が発生することを防止することが可能となる。
【００２２】
特に、キャビティー面に平行にアリ溝を設けることによって、キャビティー面に垂直な方向にボルトが設置された場合であっても、ボルトの伸縮をアリ溝とアリ溝用凸部との嵌合により抑制することができるので、嵌め込み型と金型とのキャビティー面に段差が発生することを防止することができる。
【００２３】
さらに、本発明に係る嵌め込み型の固定構造では、パーティングライン面に平行にアリ溝を設けて、嵌め込み型のアリ溝用凸部と収納部のアリ溝とを金型の型開き方向に対して垂直な方向で嵌合させることにより、型開きの際に嵌め込み型のキャビティー面が引っ張られた場合に、嵌め込み型が歪んだり反りかえったりすることを防止することができる。
【図面の簡単な説明】
【図１】本発明に係る金型を示した斜視図である。
【図２】図１に示した収納部の拡大斜視図である。
【図３】図１に示した嵌め込み型の拡大斜視図である。
【図４】図１に示した嵌め込み型にボルトが設けられた様子を示した拡大斜視図である。
【図５】本発明に係る嵌め込み型の第２の構成例を示した拡大斜視図である。
【図６】本発明に係る嵌め込み型の第３の構成例を示した拡大斜視図である。
【図７】本発明に係る嵌め込み型の第４の構成例を示した拡大斜視図である。
【図８】本発明に係る嵌め込み型の第５の構成例を示した拡大斜視図である。
【図９】従来の嵌め込み型を示した拡大斜視図である。
【符号の説明】
１、１０、１８  金型
１ａ、１０ａ、１５ａ、１５ｂ  金型のキャビティー面
２、１４  ボルト
３、１１、１１Ａ、１１Ｃ，１７    嵌め込み型
３ａ、１１ａ、１７ｃ  嵌め込み型のキャビティー面
１２、１６  収納部
１２ａ、１２ｂ、１６ａ、１６ｂ、１１Ａａ、１１Ａｂ、１２Ｂａ、１２Ｂｂ、１２Ｂｃ、１２Ｂｄ、１２Ｃａ、１２Ｃｂ、１２Ｃｃ、１２Ｃｄ  アリ溝
１３ａ、１３ｂ、１２Ａａ、１２Ａｂ、１３Ｃａ、１３Ｃｂ、１３Ｃｃ  アリ溝用凸部
【図１】
2004306114.tif 000003
【図２】
2004306114.tif 000004
【図３】
2004306114.tif 000005
【図４】
2004306114.tif 000006
【図５】
2004306114.tif 000007
【図６】
2004306114.tif 000008
【図７】
2004306114.tif 000009
【図８】
2004306114.tif 000010
【図９】
2004306114.tif 000011